(57)【要約】【課題】照明装置において、白色光と白色以外の有色光とを同時に照射して常に一定数値以上の照度を確保する。【解決手段】照明装置１０Ａは、白色光を照射できる第１照射部２０と、少なくとも１つの白色以外の有色光を照射できる第２照射部２２と、第１および第２照射部２０，２２がそれぞれ照射する光強度を制御する制御部とを備える。制御部は、第１および第２照射部２０，２２によって照明される所定の照度測定位置における照度が、照明光に含まれる白色光および有色光の割合にかかわらず一定数値以上となるように、第１及び第２照射部２０，２２による各光強度を設定する。【選択図】図１
2019040750.tif 000002
【特許請求の範囲】
【請求項１】
白色光を照射できる第１照射部と、
少なくとも１つの白色以外の有色光を照射できる第２照射部と、
第１および第２照射部がそれぞれ照射する光強度を制御する制御部と、を備え、
前記制御部は、前記第１および第２照射部によって照明される所定の照度測定位置における照度が、照明光に含まれる前記白色光および前記有色光の割合にかかわらず一定数値以上となるように、前記第１及び第２照射部による各光強度を設定する、
照明装置。
【請求項２】
前記所定の照度測定位置は、前記第１および第２照射部によって照明される領域において、テーブルがある場合にはテーブルの上面、テーブルが無い場合には椅子の座面、テーブルも椅子も無い場合には床面であり、前記制御部は、照明光の光色を変化させた場合でも前記照度測定位置での照度を１０ｌｘ以上となるように前記第１および第２照射部の光強度を設定する、請求項１に記載の照明装置。
【請求項３】
前記第１照射部によって照射される白色光の色温度は、ｘｙ色度図上で４０００Ｋから１００００Ｋの範囲である、請求項１または２に記載の照明装置。
【請求項４】
前記照明光に含まれる前記白色光および前記有色光の割合は、照度比で１：４から４：１の範囲である、請求項１〜３のいずれか一項に記載の照明装置。
【発明の詳細な説明】
【技術分野】
【０００１】
本開示は、白色光と白色以外の単色光とを同時に照射できる照明装置に関する。
【背景技術】
【０００２】
従来、特許文献１には、色温度が異なる第１発光モジュール及び第２発光モジュールと、各発光モジュールが発光した光の混色比率を制御する制御部とを備えたランプが記載されている。このランプでは、第１及び第２発光モジュールの一方の発光量を上昇させ、他方の発光量を低下させることによって、混色比率が変更してもランプ全体としての照度を実質的に維持することが記載されている。
【先行技術文献】
【特許文献】
【０００３】
【特許文献１】特開２０１２−１４６４７０号公報
【発明の概要】
【発明が解決しようとする課題】
【０００４】
ところで、特定遊興飲食店（例えばナイトクラブ）等では店舗内の飲食スペースで一定以上の照度が確保されることが風俗営業法で求められている。この場合、白色光のみで所定照度を確保しようとすると、音楽に没入するための雰囲気が損なわれてしまう。他方、白色以外の有色光だけで上記所定照度を確保しようとすると、色の識別性が低下して飲食用メニューが見づらくなるという問題がある。
【０００５】
本開示の目的は、白色光と白色以外の有色光とを同時に照射して常に一定数値以上の照度を確保することができる照明装置を提供することである。
【課題を解決するための手段】
【０００６】
本開示に係る照明装置は、白色光を照射できる第１照射部と、少なくとも１つの白色以外の有色光を照射できる第２照射部と、第１および第２照射部がそれぞれ照射する光強度を制御する制御部と、を備える。制御部は、前記第１および第２照射部によって照明される所定の照度測定位置における照度が、照明光に含まれる白色光および有色光の割合にかかわらず一定数値以上となるように、第１及び第２照射部による各光強度を設定する。
【発明の効果】
【０００７】
本開示に係る照明装置によれば、白色光と白色以外の有色光とを同時に照射して常に一定数値以上の照度を確保することができる。
【図面の簡単な説明】
【０００８】
【図１】第１実施形態の照明装置に含まれる照明灯を示す（ａ）側面図と、（ｂ）Ａ方向矢視図である。
【図２】第１実施形態の照明装置に含まれる制御装置の正面図である。
【図３】第１実施形態の照明装置の照明灯で店舗内を照明する様子を概略的に示す図である。
【図４】第２実施形態の照明装置に含まれる白色照明灯を示す（ａ）側面図と、（ｂ）Ｂ方向矢視図である。
【図５】第２実施形態の照明装置に含まれる有色照明灯を示す（ａ）側面図と、（ｂ）Ｄ方向矢視図である。
【図６】第２実施形態の照明装置の白色照明灯及び有色照明灯で店舗内を照明する様子を概略的に示す図である。
【図７】第３実施形態の照明装置に含まれる照明灯を示す（ａ）側面図と、（ｂ）Ｅ−Ｅ線断面図である。
【図８】第３実施形態の照明装置に含まれる制御装置の正面図である。
【発明を実施するための形態】
【０００９】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１０】
［第１実施形態］
図１は、第１実施形態の照明装置１０Ａに含まれる照明灯１２を示す（ａ）側面図と、（ｂ）Ａ方向矢視図である。
【００１１】
図１（ａ），（ｂ）に示すように、照明装置１０Ａの照明灯１２は、スポットライト型の照明器具である。照明灯１２は、照明本体１３と、取付部１６とを備える。照明本体１３は、円筒状のケース内に発光素子や駆動回路等が収納されて構成される。取付部１６は、照明灯１２が店舗や施設の天井、壁などに取り付けられて、照明灯１２を設置するための部分である。本実施形態では、取付部１６は、円柱状を呈し、上端よりも小径に形成された下端部がヒンジ部１８を介して照明本体１３のケースの上部に回動可能に連結されている。このように取付部１６に照明本体１３が回動可能に取り付けられていることで、照明灯１２を設置した後に照明本体１３による照明方向または光照射方向を適宜に調整することができる。
【００１２】
図１（ｂ）に示すように、照明本体１３は、第１照射部２０および第２照射部２２を備えている。第１照射部２０および第２照射部２２は、円柱状を呈する照明本体１３の一方端面に面して設けられている。第１照射部２０は、白色光を照射できる照射部であり、第２照射部２２は白色以外の赤色、緑色、青色の３色の有色光を照射できる照射部である。本実施形態では、第１照射部２０が照明本体１３の端面において円形状の中央領域に配置され、第２照射部２２は第１照射部２０の周囲の円環状領域に配置されている。
【００１３】
なお、本実施形態では、第２照射部２２が３色の有色光を照射可能な例について説明するが、これに限定されるものではなく、１色であってもよいし、２色であってもよい。
【００１４】
第１照射部２０には、白色光を発する複数の発光素子２１Ｗが設けられている。本実施形態では、４つの発光素子２１Ｗが周方向に９０°間隔で配置されている。発光素子２１Ｗには、例えば、ＬＥＤ（Ｌｉｇｈｔ  Ｅｍｉｔｔｉｎｇ  Ｄｉｏｄｅ）が好適に用いられる。なお、第１照射部２０は、ＬＥＤ以外の光源を用いてもよく、例えば、蛍光ランプ、キセノンランプ、レーザ発光素子、白熱灯等を用いてもよい。
【００１５】
第１照射部２０によって照射される白色光の色温度は、ｘｙ色度図上で４０００Ｋから１００００Ｋの範囲であることが好ましい。このような色温度の白色光を有色光と一緒に照射することで、有色光の色合いが大きく変わってしまうのを抑制できる。
【００１６】
第２照射部２２には、照明本体１３の径方向にそれぞれ対向する位置に配置された各２つの赤色発光素子２３Ｒ、緑色発光素子２３Ｇ、青色発光素子２３Ｂが設けられている。各色の発光素子２３Ｒ，２３Ｇ，２３Ｂは、周方向に６０°ずつずれた位置に配置されている。各発光素子２３Ｒ，２３Ｇ，２３Ｂもまた、例えば、ＬＥＤによって好適に構成される。
【００１７】
なお、第２照射部２２には、上記３色の発光部以外、または、これに加えて、各種の光源とフィルター等の波長変換部材を組み合わせて所望の波長（光色）の発光部を設けてもよい。
【００１８】
図２は、第１実施形態の照明装置１０Ａに含まれる制御装置（制御部）１４Ａの正面図である。照明装置１０Ａの制御装置１４Ａは、第１および第２照射部２０，２２がそれぞれ照射する光強度を制御する。また、制御装置１４Ａは、第１および第２照射部２０，２２によって照明される所定の照度測定位置における照度が、照明光に含まれる白色光および有色光の割合にかかわらず一定数値以上となるように、第１及び第２照射部による各光強度を設定する機能を有する。ここで、本実施形態では、上記一定数値として１０ｌｘ（ルクス）を例示できる。なお、制御装置１４Ａは、後述する使用前設定や使用時調整を容易に行えるようにするため携帯可能な無線端末であることが好ましい。
【００１９】
図２に示すように、制御装置１４Ａは、矩形筐体からなるケース２４を備えている。ケース２４の一側面には、電源スイッチ２６、照度比設定ダイヤル２８、赤色光調整ダイヤル３０、緑色光調整ダイヤル３２、青色光調整ダイヤル３４、及び、照度調整ダイヤル３６が設けられている。また、ケース２４の上面には、設定ボタン３８が設けられている。さらに、ケース２４の内部には、記憶部３９が設けられている。なお、制御装置１４Ａには、上記のようなスイッチやダイヤル等の機能を表示するタブレットやスマートフォンが用いられてもよい。
【００２０】
制御装置１４Ａの電源スイッチ２６は、制御装置１４Ａを起動するためのスイッチである。電源スイッチ２６が例えば押圧操作されることで、照明灯１２に電力供給されて光照射が可能になるとともに、制御装置１４Ａによる第１照射部２０および第２照射部２２の光強度の設定、調整等が可能になる。
【００２１】
制御装置１４Ａの照度比設定ダイヤル２８は、照明灯１２において第１照射部２０から照射される白色光と、第２照射部２２から照射される赤、緑、青の少なくとも１色の有色光との混色比率を設定する調整部である。本実施形態では、照度比設定ダイヤル２８を用いて、白色光と有色光の混色比率を照度比で１：４から４：１の配置で調整することができる。
【００２２】
より詳しくは、照度比設定ダイヤル２８の周囲には、左側下方に「２０％」の表示が付され、右側下方には「８０％」の表示が付されている。照度比設定ダイヤル２８の「○」マークを「２０％」の位置に合わせることで、第１照射部２０による白色光の混色比率が照度比で２０％に設定され、第２照射部２２から照射される１色、２色または３色の有色光の混色比率が８０％に設定される。このとき、有色光に複数色の光が含まれる場合、それらの合計照度が有色光の照度となる。具体例として、照明灯１２による後述する照度測定位置での照度が１０ｌｘ（ルクス）である場合、白色光２０％で２ｌｘ、赤色光４０％で４ｌｘ、青色光４０％で４ｌｘが挙げられる。
【００２３】
これに対し、照度比設定ダイヤル２８の「○」マークを「８０％」の位置に合わせると、第１照射部２０による白色光の混色比率が照度比で８０％に設定され、第２照射部２２から照射される１色、２色または３色の有色光の混色比率が２０％に設定される。このとき、有色光に複数色の光が含まれる場合、それらの合計照度が有色光の照度となる。具体例として、照明灯１２による後述する照度測定位置での照度が１０ｌｘ（ルクス）である場合、白色光８０％で８ｌｘ、赤色光１０％で１ｌｘ、青色光１０％で１ｌｘが挙げられる。
【００２４】
このように照度比設定ダイヤル２８を任意の位置に回動させることにより、照明光に含まれる白色光および有色光の割合を、照度比で１：４（すなわち２０％：８０％）から４：１（すなわち８０％：２０％）の範囲で適宜に設定することができる。
【００２５】
制御装置１４Ａの赤色光調整ダイヤル３０は、照明灯１２の第２照射部２２における赤色発光素子２３Ｒから出射される赤色光の光強度を調整するための調整部である。同様に、緑色光調整ダイヤル３２は、照明灯１２の第２照射部２２における緑色発光素子２３Ｇから出射される緑色光の光強度を調整するための調整部である。また、青色光調整ダイヤル３４は、照明灯１２の第２照射部２２における青色発光素子２３Ｂから出射される青色光の光強度を調整するための調整部である。
【００２６】
制御装置１４Ａの照度調整ダイヤル３６は、照明灯１２から照射される光全体（すなわち白色光と有色光とが混合した光）によって照明される所定の照度測定位置での照度を設定する設定部である。この照度調整ダイヤル３６の周囲には、その左側下方に「１０ｌｘ」と表示されており、本実施形態では照明灯１２による最小照度が１０ｌｘであることが示されている。
【００２７】
図２に示すように、照度調整ダイヤル３６に付されている「○」マークを「１０ｌｘ」の表示に合わせた位置にすると、照明灯１２によって照明された所定の照度測定位置での照度が１０ｌｘになる。照度調整ダイヤル３６をこの位置から時計回り方向に回動させると、照明灯１２による所定の照度測定位置での照度が１０ｌｘよりも高く設定される。なお、照度測定位置における最大照度は、照明灯１２の定格光束によって規定される。
【００２８】
制御装置１４Ａの設定ボタン３８は、白色光および有色光の照度比や全体光の照度等を設定する設定モードの開始および終了時に操作されるスイッチである。電源スイッチ２６がオン操作された後、設定ボタン３８が押されると設定モードが開始され、その後、設定ボタン３８が再度押されると設定モードが終了する。なお、設定モードが開始された後、所定時間にわたって設定ボタン３８の操作が無い場合には設定モードを終了してもよい。この場合、白色光および有色光の照度比等は前回設定時に記憶部３９で記憶された値に設定してもよい。
【００２９】
図３は、第１実施形態の照明装置１０Ａの照明灯１２で店舗内を照明する様子を概略的に示す図である。図３に示す例では、照明灯１２は、店舗内の天井（図示せず）から斜め下方に向けて照明するように設置されている。また、照明灯１２は、店舗内においてテーブルＴや椅子Ｃが配置された領域を照明する。
【００３０】
この場合、照明灯１２による所定の照度測定位置の照度は、テーブルＴがある場合にはテーブルＴの上面４０に照度計を置いて測定し、テーブルＴが無い場合には椅子Ｃの座面４２に照度計を置いて測定する。これに対し、テーブルＴも椅子Ｃも無い場合には床面Ｆの所定位置４４に照度計を置いて照度を測定する。このようにして測定された照度が１０ｌｘ以上であれば、特定遊興飲食店（例えば、ナイトクラブ等）として風俗営業法で認められるための条件を満たすことができる。
【００３１】
次に、本実施形態の照明装置１０Ａの使用前の設定モードと、使用時の調整について説明する。
【００３２】
本実施形態の照明装置１０Ａでは、制御装置１４Ａの電源スイッチ２６がオン操作されて設定ボタン３８が押されると、設定モードが開始される。
【００３３】
このように設定モードが開始されると、まず、第２照射部２２の赤色発光素子２３Ｒのみが発光して照明灯１２が赤色に点灯し、赤色光だけからなる照明光が照度照明位置に照射される。この状態で、図３を参照して説明した所定の照度測定位置に置いた照度計で確認しながら、赤色光のみで１０ｌｘになるように照度調整ダイヤル３６を回して設定する。そして、１０ｌｘになったら、照度調整ダイヤル３６を押し込み、そのときの赤色光だけで１０ｌｘになる赤色発光素子２３Ｒの出力（または消費電力）を記憶部３９に記憶させる。
【００３４】
このようにして照度調整ダイヤル３６が押し込まれて赤色光のみでの設定・記憶が終了すると、続いて、第２照射部２２の緑色発光素子２３Ｇのみが発光して照明灯１２が緑色に点灯し、緑色光だけからなる照明光が照度照明位置に照射される。この状態で、図３を参照して説明した所定の照度測定位置に置いた照度計で確認しながら、緑色光だけで１０ｌｘになるように照度調整ダイヤル３６を回して設定する。そして、１０ｌｘになったら、照度調整ダイヤル３６を押し込み、そのときの緑色光だけで１０ｌｘになる緑色発光素子２３Ｇの出力（または消費電力）を記憶部３９に記憶させる。
【００３５】
このようにして照度調整ダイヤル３６が押し込まれて緑色光のみでの設定・記憶が終了すると、続いて、第２照射部２２の青色発光素子２３Ｂのみが発光して照明灯１２が緑色に点灯し、青色光だけからなる照明光が照度照明位置に照射される。この状態で、図３を参照して説明した所定の照度測定位置に置いた照度計で確認しながら、青色光だけで１０ｌｘになるように照度調整ダイヤル３６を回して設定する。そして、１０ｌｘになったら、照度調整ダイヤル３６を押し込み、そのときの青色光だけで１０ｌｘになる青色発光素子２３Ｂの出力（または消費電力）を記憶部３９に記憶させる。
【００３６】
このようにして照度調整ダイヤル３６が押し込まれて青色光のみでの設定・記憶が終了すると、続いて、第１照射部２０の白色発光素子２１Ｗのみが発光して照明灯１２が白色に点灯し、白色光だけからなる照明光が照度照明位置に照射される。この状態で、図３を参照して説明した所定の照度測定位置に置いた照度計で確認しながら、白色光だけで１０ｌｘになるように照度調整ダイヤル３６を回して設定する。そして、１０ｌｘになったら、照度調整ダイヤル３６を押し込み、そのときの白色光だけで１０ｌｘになる白色発光素子２１Ｗの出力（または消費電力）を記憶部３９に記憶させる。
【００３７】
このようにして照度調整ダイヤル３６が押し込まれて白色光のみでの設定・記憶が終了した後、設定ボタン３８が押されると設定モードが終了する。
【００３８】
続いて、照明装置１０Ａの使用時調整は次のようにして行われる。
【００３９】
まず、制御装置１４Ａの電源スイッチ２６がオン操作され、照明装置１０Ａが起動される。
【００４０】
次に、赤色光調整ダイヤル３０、緑色光調整ダイヤル３２、青色光調整ダイヤル３４を用いて、照明灯１２で照明される照明光を、使用したい色相に設定する。この場合、１色のみの有色光を用いてもよいし、２色または３色を混色して用いてよい。
【００４１】
続いて、照度比設定ダイヤル２８をもちいて、第２照射部２２から照射される有色光に白色光を混ぜる比率を設定する。この比率は、上述したように２０％〜８０％の範囲で設定することができる。
【００４２】
そして、最後に、照度調整ダイヤル３６を用いて、照明灯１２によって照射される照明光全体の照度が設定される。このとき、照度調整ダイヤル３６による設定最小値は１０ｌｘであり、照明灯１２による照明光の照度は照度測定位置において常に１０ｌｘ以上であることが確保される。
【００４３】
具体的に、照度比設定ダイヤル２８が２０％に設定され、照度調整ダイヤル３６が１０ｌｘに設定され、白色光と赤色光とが同時に照射される場合について考える。この場合、制御装置１４Ａは、第１照射部２０から出射される白色光で２ｌｘの照度が得られるように第１照射部２０の出力を制御する。このときの出力は、上記設定モード時に記憶した、白色光だけで照度１０ｌｘを得るための出力に基づいて算出することができる。また、制御装置１４Ａは、第１照射部２０から出射される赤色光で８ｌｘの照度が得られるように第１照射部２０の出力を制御する。このときの出力は、上記設定モード時に記憶した、赤色光だけで照度１０ｌｘを得るための出力に基づいて算出することができる。これにより、白色光と赤色光とを同時に照射して常に１０ｌｘ以上の照度を確保することができる。なお、複数の有色光を白色光に混ぜて照明する場合、各色の調整ダイヤル３０，３２，３４のそれぞれ設定値に応じて各色光の照度の配分を決めればよい。
【００４４】
上述したように本実施形態の照明装置１０Ａは、白色光を照射できる第１照射部２０と、少なくとも１つの白色以外の有色光を照射できる第２照射部２２と、第１および第２照射部２０，２２がそれぞれ照射する光強度を制御する制御装置１４Ａとを備える。そして、制御装置１４Ａは、第１および第２照射部２０，２２よって照明される所定の照度測定位置における照度が、照明光に含まれる白色光および有色光の割合にかかわらず一定数値以上となるように、第１及び第２照射部２０，２２による各光強度を設定する。
【００４５】
この構成によれば、白色光と白色以外の有色光とを同時に照射して常に一定数値以上の照度を確保することができる。したがって、色相をどのように変化させた場合でも、必要とされる照度を常に確保することができる。その結果、照明装置１０Ａが特定遊興飲食店（例えばナイトクラブ）等に設置された場合、白色光と有色光とを混ぜた光で店舗内を照明するため音楽に没入するための雰囲気が損なわれることがない。また、白色光と有色光とを混ぜた光で飲食スペースで所定照度が確保されるため、色の識別性が向上して飲食用メニューが見易くなる。
【００４６】
本実施形態の照明装置１０Ａにおいて、所定の照度測定位置は、第１および第２照射部２０，２２によって照明される領域において、テーブルＴがある場合にはテーブルＴの上面４０、テーブルＴが無い場合には椅子Ｃの座面４２、テーブルＴも椅子Ｃも無い場合には床面Ｆであることが好ましい。また、制御装置１４Ａは、照明光の光色を変化させた場合でも照度測定位置での照度を１０ｌｘ以上となるように第１および第２照射部２０，２２の光強度を設定するのが好ましい。この構成によれば、どのように照明光の色相を変化させた場合にも、特定遊興飲食店において所定の照度測定位置において風俗営業法で求められる照度条件を常に満たすことができる。
【００４７】
また、本実施形態の照明装置１０Ａにおいて、第１照射部２０によって照射される白色光の色温度は、ｘｙ色度図上で４０００Ｋから１００００Ｋの範囲であることが好ましい。このような色温度の白色光を有色光と一緒に照射することで、有色光の色合いが大きく変わってしまうのを抑制できる。
【００４８】
さらに、本実施形態の照明装置１０Ａにおいて、照明光に含まれる白色光および有色光の割合は照度比で１：４から４：１の範囲であることが好ましい。このような範囲で白色光を混ぜることで、例えばナイトクラブ等の店舗内の雰囲気を損なうことなく、飲食用メニューを見易くすることができる。
【００４９】
［第２実施形態］
次に、図４ないし図６を参照して、第２実施形態の照明装置１０Ｂについて説明する。図４は、第２実施形態の照明装置１０Ｂに含まれる白色照明灯を示す（ａ）側面図と、（ｂ）Ｂ方向矢視図である。図５は、第２実施形態の照明装置１０Ｂに含まれる有色照明灯１２Ｒ，１２Ｇ，１２Ｂを示す（ａ）側面図と、（ｂ）Ｄ方向矢視図である。なお、以下においては、上述した第１実施形態と同一または類似の構成には同一または類似の参照符号を付して、詳細な説明を省略する。
【００５０】
図４（ａ），（ｂ）に示すように、本実施形態の照明装置１０Ｂは，白色光を照射できる白色照明灯（第１照明部）１２Ｗを備える。白色照明灯１２Ｗにおいて円柱状をなす照明本体１３の端面には、複数の白色発光素子２１Ｗが配置されている。本実施形態では、円形中央領域に４つの白色発光素子２１Ｗが周方向に９０°ピッチで配置され、その周囲の円環状領域に６つの白色発光素子２１Ｗが周方向に６０°ピッチ間隔で配置されている。
【００５１】
図５（ａ），（ｂ）に示すように、本実施形態の照明装置１０Ｂは、白色以外の有色光である赤色光を照射できる赤色照明灯（第２照射部）１２Ｒを更に備える。赤色照明灯１２Ｒの構成は、赤色発光素子２３Ｒ以外は上記白色照明灯１２Ｗと同じである。赤色照明灯１２Ｒにおける赤色発光素子２３Ｒの配置は、図５（ｂ）に示すように、白色照明灯１２Ｗにおける白色発光素子２１Ｗの場合と同様である。
【００５２】
また、本実施形態の照明装置１０Ｂは、白色以外の有色光である緑色光を照射できる緑色照明灯（第２照射部）１２Ｇと、白色以外の有色光である青色光を照射できる青色照明灯（第２照射部）１２Ｂとを更に備える。緑色照明灯１２Ｇおよび青色照明灯１２Ｂは、図５（ａ），（ｂ）に示すように、赤色発光素子２３Ｒが緑色発光素子２３Ｇ、青色発光素子２３Ｂにそれぞれ置き換わっただけの構成である。
【００５３】
図６は、第２実施形態の照明装置１０Ｂの白色照明灯１２Ｗ及び有色照明灯１２Ｒ，１２Ｇ，１２Ｂで店舗内を照明する様子を概略的に示す図である。図６に示す例では、各照明灯１２Ｗ，１２Ｒ，１２Ｇ，１２Ｂは、店舗内の天井（図示せず）から下方に向けて照明するように設置されている。また、各照明灯１２Ｗ，１２Ｒ，１２Ｇ，１２Ｂは、店舗内においてテーブルＴや椅子Ｃが配置された領域を照明する。
【００５４】
この場合、各照明灯１２Ｗ，１２Ｒ，１２Ｇ，１２Ｂによる所定の照度測定位置の照度は、テーブルＴがある場合にはテーブルＴの上面４０に照度計を置いて測定し、テーブルＴが無い場合には椅子Ｃの座面４２に照度計を置いて測定する。これに対し、テーブルＴも椅子Ｃも無い場合には床面Ｆの所定位置４４に照度計を置いて照度を測定する。この点は、上記第１実施形態の場合と同様である。
【００５５】
さらに、本実施形態の照明装置１０Ｂは、制御装置１４Ａを更に備える。制御装置１４Ａは、第１実施形態と同じものを用いることができる。
【００５６】
本実施形態の照明装置１０Ｂにおいても、第１実施形態の場合と同様に、使用前に設定モードを実行し、使用時の調整を行うことができる。本実施形態の設定モードでは、白色照明灯１２Ｗ、赤色照明灯１２Ｒ、緑色照明灯１２Ｇ、青色照明灯１２Ｂが、第１実施形態における白色発光素子２１Ｗ、赤色発光素子２３Ｒ，緑色発光素子２３Ｇ、青色発光素子２３Ｂにそれぞれ対応する。本実施形態の照明装置１０Ｂによっても、第１実施形態の照明装置１０Ａと同様の効果を奏することができる。
【００５７】
［第３実施形態］
次に、図７及び図８を参照して、第３実施形態の照明装置１０Ｃについて説明する。図７は、第３実施形態の照明装置１０Ｃに含まれる照明灯を示す（ａ）側面図と、（ｂ）Ｅ−Ｅ線断面図である。図８は、第３実施形態の照明装置１０Ｃに含まれる制御装置１４Ｂの正面図である。なお、以下においては、上述した第１実施形態と同一または類似の構成には同一または類似の参照符号を付して、詳細な説明を省略する。
【００５８】
本実施形態の照明装置１０Ｃは、照明灯１２Ｃと、制御装置１４Ｂとを備える。本実施形態の照明灯１２Ｃは、図７（ａ），（ｂ）に示すように、スポットライト型の照明器具であり、この点は第１および第２実施形態と同様である。
【００５９】
本実施形態の照明灯１２Ｃは、円柱状をなす照明本体１３の端面に、複数の白色発光素子２１Ｗが配置されている。本実施形態では、円形中央領域に４つの白色発光素子２１Ｗが周方向に９０°ピッチで配置され、その周囲の円環状領域に６つの白色発光素子２１Ｗが周方向に間隔を空けて配置されている。
【００６０】
また、照明灯１２Ｃは、バンドパスフィルター板５０を有する。バンドパスフィルター板５０は、照明灯１２Ｃの円筒状の照明本体１３を貫通して設けられている。また、バンドパスフィルター板５０は、図示しない移動機構によってバンドパスフィルター板５０の長手方向に沿って矢印Ｆ方向に往復移動可能に構成されている。上記移動機構としては、例えば、モータを駆動源とするラックアンドピニオン機構が例示できる。
【００６１】
バンドパスフィルター板５０には、それぞれ円形状の３つのフィルター５２Ｒ，５２Ｇ，５２Ｂが並んで配置されている。フィルター５２Ｒは、入射した白色光を赤色光に変換して出射するフィルターである。フィルター５２Ｇは、入射した白色光を緑色光に変換して出射するフィルターである。フィルター５２Ｂは、入射した白色光を青色光に変換して出射するフィルターである。
【００６２】
バンドパスフィルター板５０の各フィルター５２Ｒ，５２Ｇ，５２Ｂは、移動機構によってバンドパスフィルター板５０が移動することで、照明灯１２Ｃの端面中央に設けられた４つの白色発光素子２１Ｗに対向する位置に配置される。これにより、これらの４つの白色発光素子２１Ｗから出射された白色光は、フィルター５２Ｒ，５２Ｇ，５２Ｂのいずれかによって赤色光、緑色光、または、青色光として、照明灯１２Ｃから照射される。
【００６３】
したがって、本実施形態の照明灯１２Ｃでは、照明本体１３の端面中央に配置された４つの白色発光素子２１Ｗおよびバンドパスフィルター板５０が、白色以外の有色光を照射できる第２照射部を構成する。また、照明灯１２Ｃにおいて、照明本体１３の端面周縁部に配置された６つの白色発光素子２１Ｗは、バンドパスフィルター板５０を通過することなく白色光を照明灯１２Ｃから照射することができる第１照射部を構成する。
【００６４】
図８に示すように、本実施形態の制御装置１４Ｂは、電源スイッチ２６、照度比設定ダイヤル２８、照度調整ダイヤル３６、設定ボタン３８、及び、記憶部３９を有する。これらの電源スイッチ２６等の機能は、図２を参照して説明した第１実施形態の制御装置１４Ａと同様であるため、ここでの説明を省略する。
【００６５】
本実施形態の制御装置１４Ｂは、フィルター変更ダイヤル５４を更に備える。フィルター変更ダイヤル５４の周囲のケース壁面には、「Ｒ」、「Ｇ」、「Ｂ」の表示が付されている。フィルター変更ダイヤル５４の「○」マークを表示「Ｒ」に合わせると、バンドパスフィルター板５０が移動して赤色のフィルター５２Ｒが照明本体１３の端面中央の４つの白色発光素子２１Ｗに対向する位置に配置され、赤色光が照射可能になる。
【００６６】
フィルター変更ダイヤル５４の「○」マークを表示「Ｇ」に合わせると、バンドパスフィルター板５０が移動して緑色のフィルター５２Ｇが照明本体１３の端面中央の４つの白色発光素子２１Ｗに対向する位置に配置され、緑色光が照射可能になる。また、フィルター変更ダイヤル５４の「○」マークを表示「Ｂ」に合わせると、バンドパスフィルター板５０が移動して青色のフィルター５２Ｂが照明本体１３の端面中央の４つの白色発光素子２１Ｗに対向する位置に配置され、青色光が照射可能になる。
【００６７】
本実施形態の照明装置１０Ｃにおける使用前の設定モードでは、バンドパスフィルター板５０が自動で移動して、赤色光、緑色光、青色光の順に所定照度の設定を行えるようにしてもよいし、あるいは、フィルター変更ダイヤル５４を用いて手動で変更してもよい。
【００６８】
本実施形態の照明装置１０Ｃによっても、上述した第１実施形態の照明装置１０Ａと同様の効果を奏することができる。ただし、本実施形態の照明装置１０Ｃでは、白色光と同時に照射できる有色光は１色に限定される点が第１及び第２実施形態の照明装置１０Ａ，１０Ｂと相違する。
【００６９】
なお、本開示に係る照明装置は、上述した実施形態およびその変形例に限定されるものではなく、種々の変更や改良が可能である。
【００７０】
例えば、上記では照明灯１２，１２Ｗ，１２Ｒ，１２Ｇ，１２Ｂ，１２Ｃがスポットライト型の照明灯である場合について説明したが、これに限定されるものではなく、例えば、天井埋め込み型のダウンライト等であってもよい。また、照明光を直接照射する直接照明でなくてもよく、照明光を壁等で反射させたうえで照射する間接照明であってもよい。
【００７１】
また、本開示における制御装置は、店舗内に流れる音楽に連動して、照明灯の光色を変化させるように構成されてもよい。
【符号の説明】
【００７２】
１０Ａ，１０Ｂ，１０Ｃ  照明装置、１２，１２Ｗ，１２Ｒ，１２Ｇ，１２Ｂ，１２Ｃ  照明灯、１３  照明本体、１４Ａ，１４Ｂ  制御装置（制御部）、２０  第１照射部、２１Ｗ  白色発光素子、２２  第２照射部、２３Ｂ  青色発光素子、２３Ｇ  緑色発光素子、２３Ｒ  赤色発光素子、２４  ケース、２６  電源スイッチ、２８  照度比設定ダイヤル、３０  赤色光調整ダイヤル、３２  緑色光調整ダイヤル、３４  青色光調整ダイヤル、３６  照度調整ダイヤル、３８  設定ボタン、３９  記憶部、５０  バンドパスフィルター板、５２Ｒ，５２Ｇ，５２Ｂ  フィルター、５４  フィルター変更ダイヤル、Ｃ  椅子、Ｆ  床面、Ｔ  テーブル。
【図１】
2019040750.tif 000003
【図２】
2019040750.tif 000004
【図３】
2019040750.tif 000005
【図４】
2019040750.tif 000006
【図５】
2019040750.tif 000007
【図６】
2019040750.tif 000008
【図７】
2019040750.tif 000009
【図８】
2019040750.tif 000010